(57)【特許請求の範囲】
【請求項１】
電気回路が構成された回路基板と、前記回路基板を覆うハウジングと、を備え、
前記回路基板はその板面が垂直となる縦型状態で前記ハウジング内に収容されており、
前記ハウジングは、前記回路基板の外周縁に沿った枠状をなすとともに前記回路基板の下縁と対応する下枠部を有するフレームと、前記フレームの表面側の開口部を塞ぐカバーと、前記フレームの裏面側の開口部を塞ぐ放熱板とを有しており、
前記フレームの前記下枠部には、前記回路基板の下方に位置して形成されその回路基板の表面に付着して流れ落ちる水を受けて順次下方に案内すべく下り勾配に形成された排水斜面と、前記ハウジングの底壁に前記排水斜面の最下部に位置して形成された排水口とが設けられている電気接続箱。
【請求項２】
前記排水斜面は、前記回路基板の板面に沿う方向に下降傾斜する第１排水斜面と、前記回路基板の板面に直交する方向に下降傾斜すると共に前記第１排水斜面から流下した水をさらに下方へ案内する第２排水斜面と、を備え、前記第２排水斜面の最下部に前記排水口が形成されていることを特徴とする請求項１記載の電線接続箱。
【請求項３】
前記回路基板は絶縁基板に複数本のバスバーを沿わせて配設してなると共に、そのバスバーの端部は前記絶縁基板の下縁部から並んで突出して配されており、
前記バスバーの端部のうち前記絶縁基板の下縁部から下方に突出した部分には、前記回路基板の板面に略直交するように曲げ加工された屈曲部が設けられており、
前記フレームの前記下枠部には、前記バスバーの前記屈曲部に下方から当接することで前記屈曲部を支持する支持部が設けられ、
前記支持部には、前記回路基板の表裏方向について引っ込んだ凹部が形成されており、前記凹部の下面には、前記第１排水斜面が形成されていることを特徴とする請求項１または請求項２記載の電気接続箱。
【請求項４】
前記支持部には、その上面から前記排水斜面側の側面に亘って斜めに切欠した形態の誘導斜面が形成されていることを特徴とする請求項３記載の電気接続箱。
【請求項５】
前記フレームの前記支持部の上面には、隣り合う前記屈曲部同士を隔てる隔壁部が、隣り合う前記屈曲部間に、上方に向けて突出して設けられていることを特徴とする請求項３または請求項４に記載の電気接続箱。
【請求項６】
前記隔壁部の下端部には、ここに付着した水を下方に導くための水切りリブが、前記排水斜面の上方に位置して形成されていることを特徴とする請求項５記載の電気接続箱。
【請求項７】
前記隔壁部が、前記バスバーの前記屈曲部と対応するように配置されているとともに、前記隔壁部の上縁部が前記屈曲部の上面よりも上方へ突出するように形成されていることを特徴とする請求項５または請求項６に記載の電気接続箱。
【発明の詳細な説明】
【技術分野】
【０００１】
本発明は、電気接続箱に関する。
【背景技術】
【０００２】
従来より、車両に搭載される電気接続箱としては特許文献１に記載のものが知られている。このものは、回路基板がハウジング内に収容されてなり、電源と電装品との間に介設されて、電装品の通断電制御をなす。この電気接続箱は、シール材等でハウジングがシールされることで、降雨や洗車時等にハウジング内に外部から水分が浸入しないようになっている。
【特許文献１】特開２００３−１６４０３９公報
【発明の開示】
【発明が解決しようとする課題】
【０００３】
しかしながら、上記のように車両に搭載される電気接続箱においては、車両の走行条件や天候の変化等により、電気接続箱の設置場所における温度や湿度が大きく変化する場合がある。すると、ハウジング内の空気中の水分が結露し、ハウジング内に水が発生することが懸念される。この水がハウジングから排出されないと、水はハウジングの底壁の内面にたまることになる。ハウジング内にたまった水分が回路基板と接触すると、回路基板に形成された電気回路が短絡することが懸念される。
【０００４】
本発明は上記のような事情に基づいて完成されたものであって、ハウジング内に発生した水分をハウジング外に排出可能な電気接続箱を提供することを目的とする。
【課題を解決するための手段】
【０００５】
上記の目的を達成するための手段として、請求項１の発明は、電気回路が構成された回路基板と、前記回路基板を覆うハウジングと、を備え、前記回路基板はその板面が垂直となる縦型状態で前記ハウジング内に収容されており、前記ハウジングは、前記回路基板の外周縁に沿った枠状をなすとともに前記回路基板の下縁と対応する下枠部を有するフレームと、前記フレームの表面側の開口部を塞ぐカバーと、前記フレームの裏面側の開口部を塞ぐ放熱板とを有しており、前記フレームの前記下枠部には、前記回路基板の下方に位置して形成されその回路基板の表面に付着して流れ落ちる水を受けて順次下方に案内すべく下り勾配に形成された排水斜面と、前記ハウジングの底壁に前記排水斜面の最下部に位置して形成された排水口とが設けられている電気接続箱である。
請求項２の発明は、請求項１に記載のものにおいて、前記排水斜面は、前記回路基板の板面に沿う方向に下降傾斜する第１排水斜面と、前記回路基板の板面に直交する方向に下降傾斜すると共に前記第１排水斜面から流下した水をさらに下方へ案内する第２排水斜面と、を備え、前記第２排水斜面の最下部に前記排水口が形成されていることを特徴とする。
【０００６】
請求項３の発明は、請求項１または請求項２に記載のものにおいて、前記回路基板は絶縁基板に複数本のバスバーを沿わせて配設してなると共に、そのバスバーの端部は前記絶縁基板の下縁部から並んで突出して配されており、前記バスバーの端部のうち前記絶縁基板の下縁部から下方に突出した部分には、前記回路基板の板面に略直交するように曲げ加工された屈曲部が設けられており、前記フレームの前記下枠部には、前記バスバーの前記屈曲部に下方から当接することで前記屈曲部を支持する支持部が設けられ、前記支持部には、前記回路基板の表裏方向について引っ込んだ凹部が形成されており、前記凹部の下面には、前記第１排水斜面が形成されていることを特徴とする。
【０００７】
請求項４の発明は、請求項３記載のものにおいて、前記支持部には、その上面から前記排水斜面側の側面に亘って斜めに切欠した形態の誘導斜面が形成されていることを特徴とする。  
請求項５の発明は、請求項３または請求項４に記載のものにおいて、前記フレームの前記支持部の上面には、隣り合う前記屈曲部同士を隔てる隔壁部が、隣り合う前記屈曲部間に、上方に向けて突出して設けられていることを特徴とする。
【０００８】
請求項６の発明は、請求項５に記載のものにおいて、前記隔壁部の下端部には、ここに付着した水を下方に導くための水切りリブが、前記排水斜面の上方に位置して形成されていることを特徴とする。  
請求項７の発明は、請求項５または請求項６に記載のものにおいて、前記隔壁部が、前記バスバーの前記屈曲部と対応するように配置されているとともに、前記隔壁部の上縁部が前記屈曲部の上面よりも上方へ突出するように形成されていることを特徴とする。
【発明の効果】
【０００９】
＜請求項１の発明＞
請求項１の発明によれば、例えば結露等によりハウジング内に発生して回路基板の表面に付着した水は、回路基板から下方に流れ落ちて排水斜面の上に落下する。排水斜面の上に落下した水は下り勾配に沿って排水斜面を伝わって流れ、排水斜面の最下部に形成された排出口からハウジングの外部に排出される。この結果、ハウジング内で発生した水により回路基板が短絡することを防止できる。
また、ハウジングを構成するフレームが回路基板の周縁に沿った枠状をなすことに着目し、フレームの辺部のうち回路基板の下縁に沿った辺部（底壁）に、排水斜面と排水口を設けた。これにより、排水斜面と排水口が回路基板の下縁のほぼ真下に位置することになるので、回路基板の表面に付着して流れ落ちた水は、確実に排水斜面に到達することができる。
【００１０】
＜請求項３の発明＞
請求項３の発明によれば、回路基板は縦型状態でハウジング内に収容されているから、回路基板に付着した水は回路基板を下方へと伝わり落ち、回路基板の下縁部へ到達する。回路基板の下縁部まで到達した水は、回路基板の下縁部から下方に突出するバスバーを伝わり落ち、バスバーの屈曲部に到達する。この屈曲部には支持部が下方から当接しているから、屈曲部にまで到達した水は確実に支持部へと伝わる。この支持部には排水斜面が形成されているから、水は排水斜面に確実に伝わり、さらに下り勾配に沿って排水斜面を流下し、排出口からハウジング外部へ排出される。このように請求項３の発明によれば、回路基板に付着した水を一層確実にハウジング外へ排出することができる。
【００１１】
＜請求項４の発明＞
請求項４の発明によれば、回路基板からバスバーの屈曲部を介して支持部の上面に伝わった水は、支持部に切欠状に形成された誘導斜面を伝うことにより、支持部における排水斜面側の側面へ誘い出されるので、確実に排水斜面に到達する。このように請求項４の発明によれば、支持部に伝わった水を、確実にハウジング外へ排出することができる。
＜請求項５の発明＞
請求項５の発明によれば、隣り合うバスバー間に隔壁部を設けたことにより、隣り合うバスバー間の沿面距離を大きくすることができる。これにより、一のバスバーに付着した水が隣り合うバスバーに到達しにくくなるから、バスバー間の短絡を回避できる。
【００１２】
＜請求項６の発明＞
請求項６の発明によれば、回路基板に付着した水は下方に流下してバスバーにまで伝わり落ち、バスバーの屈曲部に当接する支持部に達した後、この支持部の隔壁部に形成された水切りリブに達する。水は、この水切りリブを伝って下方に導かれることで、バスバーから離間するようになっている。これにより隣り合うバスバー間の短絡を一層回避することができる。  
そして、バスバーの下方に導かれた水分は水切りリブから落下し、この水切りリブの下方に配された排水斜面の上に落ち、排水斜面を伝って排出口からハウジングの外部へと排出される。これにより、回路基板の短絡を一層確実に防止できる。
【００１３】
＜請求項７の発明＞
請求項７の発明によれば、隔壁部が、バスバーの屈曲部と対応するように配置され、隔壁部の上縁部が屈曲部の上面よりも上方へ突出しているので、隔壁部の上縁部が屈曲部の上面と同じ高さかそれよりも低い高さであるものに比べると、隣り合う屈曲部間の縁面距離が大きくなり、バスバー間の短絡を防止する機能の信頼性が高い。
【発明を実施するための最良の形態】
【００１４】
本発明の一実施形態を図１ないし図８を参照して説明する。本実施形態に係る電気接続箱は車両に搭載されるものであって、図示しない電源とランプ、オーディオ等の図示しない電装品との間に介設され、各電装品を通断電制御するものである。この電気接続箱は、回路基板１０を、扁平形状をなすハウジング１１内に収容してなる。図１及び図２においては、電気接続箱を表面側が上向きとなるように描いているが、車両に搭載された状態では、電気接続箱は、図５及び図６に示すように、回路基板１０の板面が垂直となる縦型配置となるように配される。以下、上下左右の向きについては、車両に搭載された状態を基準として説明する。
【００１５】
ハウジング１１は、表裏方向（図５及び図６における左右方向）に開口するとともに合成樹脂からなるフレーム１２と、フレーム１２の裏面側（図５及び図６における右側）の開口を塞ぐように取付けられる金属製の放熱板１３と、フレーム１２の表面側（図５及び図６における左側）の開口を塞ぐように組み付けられる合成樹脂製のカバー１４と、フレーム１２に対しその上側から組み付けられる合成樹脂製のヒューズブロック１５と、ヒューズブロック１５に組み付けられる合成樹脂製の第１コネクタブロック１６と、フレーム１２の下縁部に組み付けられる合成樹脂製の第２〜第４コネクタブロック１７，１８，１９とを備えてなる。
【００１６】
フレーム１２は、回路基板１０の外周縁に沿った略矩形の枠状をなしており、上枠部１２Ａと、上枠部１２Ａの左右両端から下方に延びる左枠部１２Ｂ及び右枠部１２Ｃと、左右両枠部１２Ｂ，１２Ｃの下端部を連結する下枠部１２Ｄ（本発明に係る底壁に相当）とからなる。この下枠部１２Ｄは、回路基板１０の下縁に対して近接して対応する辺部であり、回路基板１０の下縁のほぼ真下に位置している。左右両枠部１２Ｂ，１２Ｃの外側面には、外方に突出するロック突部２０が形成されている。
【００１７】
フレーム１２の裏面に取付けられる放熱板１３は、略矩形状をなしており、フレーム１２の外形と概ね相似形をなしている。放熱板１３は、フレーム１２の裏面に図示しない接着剤で固定されると共に、ボルト２１によりねじ止めされる。
【００１８】
カバー１４は、全体として裏面側に開口する浅皿状をなしており、全体としてフレーム１２の外形と略相似形をなすと共にフレーム１２の表面側の開口を覆う蓋板部２２と、この蓋板部２２の周縁に沿って裏面側に立ち上げられた側壁部２３とを備えてなる。カバー１４の側壁部２３にはフレーム１２のロック突部２０と対応する位置に受け部２４が形成されており、この受け部２４とロック突部２０とが弾性的に係合することで、カバー１４はフレーム１２に対して表面側から組み付けられるようになっている。
【００１９】
カバー１４の下部は左右両端部を残して表側（図５の左方）に膨出されており、この膨出部はコネクタフード部２５とされる。このコネクタフード部２５は３つのフード２６に仕切られている。各フード２６の下面には開口２７が設けられており、この開口２７には第２〜第４コネクタブロック１７，１８，１９がこの開口２７を閉止するようにして配される。第２〜第４コネクタブロック１７，１８，１９は、それぞれ下方に開口する嵌合筒部２８を有しこの嵌合筒部２８内には、それぞれ図示しない相手側コネクタが組み付けられるようになっている。第３コネクタブロック１８は回路基板１０に取付けられるようになっており、第３コネクタブロック１８の嵌合筒部２８の上部には棒状の端子金具２９の一方の端部が上側から差し込まれると共に、端子金具２９の他方の端部は裏面側に略直角に曲げ加工されて、回路基板１０に形成された貫通孔３０に挿入されて回路基板１０に形成された電気回路と接続されている。第４コネクタブロックの嵌合筒部２８の上側からは、後述する下側突出部３１の下端部が上側から差し込まれて、後述するコネクタ端子部４６とされる。
【００２０】
カバー１４の蓋板部２２の外側面には、蓋板部２２の上端縁よりやや下がった位置であって、且つコネクタフード部２５よりも上方位置に、ひさし部３２が表側方向（図５の左方）に突設されている。このひさし部３２は、左右方向に連続して延びるリブ状をなすと共に、左右方向の中心位置を稜線としてそこから左右に向かって下り勾配で傾斜している。ひさし部３２においてコネクタフード部２５の左右両端縁に対応する位置よりもやや内側位置までは、緩やかな下り勾配で傾斜した緩斜部３２Ａとされ、そこから外側は緩斜部３２Ａよりも急な下り勾配で傾斜した急斜部３２Ｂとされる。これにより、ひさし部３２の上面は左右方向の中心位置を稜線としてそこから左右に向かって下り勾配で傾斜する傾斜面３３とされる。そして、急斜部３２Ｂの下端部はコネクタフード部２５の左右両端上縁に接続され、これにより、ひさし部３２の端縁がコネクタフード部２５の外側面において左右両側面にそれぞれ連続している。
【００２１】
ヒューズブロック１５は、フレーム１２の上縁部に沿って配されると共にその表側部分がカバー１４よりも表側に突出する横長形状の本体部３４と、この本体部３４の左右両端部から下方へ片持ち状に延出する形態の一対のアーム部３５とからなる。
【００２２】
本体部３４の上面には、図示しないヒューズを収容するための左右２つのヒューズ収容部３６が、本体部３４の上面よりも上方へ方形ブロック状に突出し、且つ上面側へ開放された形態で形成されている。また、本体部３４の下側からは、後述する上側突出部３７の上端部が下側から差し込まれている。
【００２３】
このヒューズブロック１５において表側に突出する部分には、第１コネクタブロック１６が下側から組み付けられている。第１コネクタブロック１６には、下方に開口する嵌合筒部２８が備えられており、ここに図示しない外部コネクタを嵌合することができるようになっている。この嵌合筒部２８内には端子金具３８の略下半分領域が収容され、この端子金具３８の略上半分領域は本体部３４内に下側から差し込まれている。端子金具３８と上側突出部３７とは本体部３４内においてヒューズ及び中継端子３９を介して接続されている。
【００２４】
回路基板１０は、略矩形状をなす絶縁基板４０の表面（図５における左面側）にプリント配線手段によって制御回路を形成すると共に、この制御回路にリレー等のスイッチング素子４１を実装して構成され、一方、裏面（図５における右面側）には複数本のバスバー４２を制御回路と電気的に接続した状態で沿わせてある。回路基板１０の表面には図示しない防水シール剤が塗布されている。バスバー４２は絶縁基板４０の裏面に接着シート４３を介して接着されている。回路基板１０は、ハウジング１１内に、その板面を垂直に向けた状態で収容されている。絶縁基板４０の下縁部のうち図２における左奥側の領域は下方に略台形状に突出しており、第３コネクタブロック１８を取付けるためのコネクタ取付け部４４とされる。バスバー４２の端部に形成した上側突出部３７は絶縁基板４０の上端縁から並んで突出されており、また、同じくバスバー４２の端部に形成した下側突出部３１が絶縁基板４０の下縁部のうち、図４における略左半分の領域から並んで突出されている。なお、回路基板１０は、放熱板１３の表面に、バスバー４２の裏面側に塗布された接着剤（図示せず）を介して接着されている。
【００２５】
下側突出部３１には、回路基板１０の板面に略直交するように曲げ加工されて表側に突出する屈曲部４５が形成され、また、この屈曲部４５の先端から下方へ略直角に曲げ加工されて下方に突出すると共に、第４コネクタブロック１９に配設されて、相手側コネクタと接続可能なコネクタ端子部４６が形成されている。
【００２６】
さて、フレーム１２の下枠部１２Ｄのうち、図４における略左半分の領域には、バスバー４２の下側突出部３１に形成された屈曲部４５を下方から支持する支持部４７が形成されている。この支持部４７により、第４コネクタブロック１９に嵌合された相手側コネクタの離脱時に、屈曲部が下方に変位するのを規制するようになっている。支持部４７の上面には、隣り合う屈曲部４５同士を隔てる隔壁部４８が、隣り合う屈曲部４５間に、上方に向けて複数突設されている。隔壁部４８の上下方向の高さ寸法は、屈曲部４５の上下方向の厚さ寸法よりもやや大きく設定されている。これにより、隔壁部４８を設けない場合に比べて、隣り合う屈曲部４５同士の沿面距離を大きくすることができる。
【００２７】
支持部４７の裏面側（回路基板１０側）の側面には、支持部４７の上端縁から、やや下方に下がった位置の領域にかけて、表面側に引っ込んだ凹部４９が形成されており、この凹部４９の下面は図４における左方から右方に向かって下がり勾配に形成されており、回路基板１０から流れ落ちる水を受けて順次下方に案内するための第１排水斜面５０とされる。第１排水斜面５０は、図５に示すように、回路基板１０の下方に位置するように形成されている。下枠部１２Ｄのうち、図４における略右半分の領域は、回路基板１０のコネクタ取付け部４４を収容するための収容部５１とされており、コネクタ取付け部４４の外形と略整合するように下方に引っ込んで形成されている。図４における第１排水斜面５０の右端は、コネクタ取付け部４４の図４における左側面に連なるようになっている。収容部５１の下面は、表側に向かって下がり勾配に形成されており（図６及び図８参照）、第１排水斜面５０から流下した水をさらに下方へ案内するための第２排水斜面５２とされる。第２排水斜面５２の最下部であって、下枠部１２Ｄの表面側のうち図８における左手前側には、裏面側に引っ込んで４つの凹部が形成されており、この凹部と、第３コネクタブロック１８との間に形成された空間によりハウジング１１の内外が連通されて、ハウジング１１内の水をハウジング１１外へ排出する排水口５３とされる（図１参照）。
【００２８】
図５ないし図７に示すように、隔壁部４８は支持部４７の上面から裏面側に突出するように形成されており、裏面側の端部は、放熱板１３の表面と接するようになっている（図５参照）。隔壁部４８のうち裏面側に突出した部分の下縁部は、下方に垂下して形成されており、ここに付着した水を下方に導くための水切りリブ５４とされる。この水切りリブ５４は、第１排水斜面５０の上方に位置して形成されている（図５及び図７参照）。
【００２９】
続いて、本実施形態の作用、効果について説明する。車両に搭載される電気接続箱においては、走行条件や天候の変化等により、電気接続箱の設置場所における温度や湿度が大きく変化する場合がある。すると、ハウジング１１内の空気中の水分が結露し、回路基板１０の表面に水が発生する場合がある。回路基板１０の表面には防水シール剤が塗布されているから回路基板１０の表面に形成された電気回路が短絡することは回避されるようになっている。
【００３０】
回路基板１０はその板面を垂直に向けた状態でハウジング１１内に配されているから、回路基板１０の表面に生じた水は下方へと流下する。回路基板１０の下方には第１排水斜面５０が形成されているから、回路基板１０の下縁部から下方に落下した水は、第１排水斜面５０の上に滴り落ちる。
【００３１】
また、回路基板１０の下縁部からはバスバー４２の下側突出部３１が下方へ突出しており、回路基板１０の下縁部から落下しなかった水は、この下側突出部３１へと伝わり落ちる。続いて水は、下側突出部３１に形成された屈曲部４５へと伝わり、屈曲部４５に下方から当接する支持部４７へと確実に移動する。支持部４７に達した水は、この支持部４７のうち回路基板１０側の側壁を伝って流下し、支持部４７に形成された第１排水斜面５０に達する。また、支持部４７には隣り合う屈曲部４５同士を隔てる隔壁部４８が形成されており、この隔壁部４８には水切りリブ５４が形成されているから、水は屈曲部４５から水切りリブ５４へとすみやかに移動し、屈曲部５４から離間する。これにより屈曲部４５間の短絡を一層回避することができる。水切りリブ５４に伝わった水は下方へと流下し、水切りリブ５４の下端部から下方に滴り落ち、第１排水斜面５０により受けられる。
【００３２】
なお、支持部４７は、バスバー４２のうち、回路基板１０に接着された部分と端子部との間に形成された屈曲部４５と当接するようになっているから、回路基板１０から流下した水は、支持部４７を伝って第１排水斜面５０に流下し、端子部には到達しないようになっている。これにより、コネクタ端子部４６が差し込まれた第４コネクタブロック１９内に水が浸入し、コネクタ端子部４６同士又は相手側コネクタが短絡することを防止できる。
【００３３】
第１排水斜面５０に達した水は、図６において右方に向かって下がり勾配となる第１排水斜面５０に沿って右方に流下し、図６における収容部５１の左側面に到達する。そして、収容部５１の左側面を流下し、収容部５１の下面に形成された第２排水斜面５２に達する。
【００３４】
第２排水斜面５２は表面側に向かって下がり勾配となるように形成されているから、水は表面側に向かって流下し、第２排水斜面５２の最下部に形成された排水口５３から下方に流下し、ハウジング１１の外部へ排出される（図６の矢線参照）。
【００３５】
以上説明したように、本実施形態によれば、結露等によりハウジング１１内に発生して回路基板１０の表面に付着した水は、縦型状態で配された回路基板１０を下方へ伝わり落ち、回路基板１０から流下して第１排水斜面５０に達する。また、回路基板１０から流下しなかった水は、バスバー４２のうち回路基板１０の下縁部から下方に突出する下側突出部３１へと達し、下側突出部３１に形成された屈曲部４５へと伝わる。屈曲部４５に達した水は、屈曲部４５に当接する支持部４７を伝わり落ちたり、水切りリブ５４を伝わり落ちたりすることで第１排水斜面５０に確実に移動する。第１排水斜面５０に移動した水は下がり勾配に沿って流下して第２排水斜面５２に達し、第２排水斜面５２の最下部に形成された排水口５３からハウジング１１の外部へ排出される。これにより、ハウジング１１内に発生した水が、ハウジング１１内にたまることにより回路基板１０が短絡することを防止できる。
【００３６】
また、本実施形態においては、支持部４７に屈曲部４５間に突出する隔壁部４８を設けたから、隣り合う屈曲部４５間の沿面距離を大きくすることができる。これにより、一の屈曲部４５に付着した水が隣り合う屈曲部４５に到達することが困難になるから、屈曲部４５間の短絡を回避できる。
【００３７】
そして、屈曲部４５に付着した水は水切りリブ５４により下方に導かれて屈曲部４５から離間するようになっているから、屈曲部４５間の短絡を一層回避できる。  
また、本実施形態では、ハウジング１１を構成するフレーム１２が回路基板１０の外周縁に沿った枠状をなすことに着目し、フレーム１２の辺部のうち回路基板１０の下縁に沿った辺部（下枠部１２Ｄ）に、排水斜面５０，５２と排水口５３を設けた。これにより、排水斜面５０，５２と排水口５３が回路基板１０の下縁のほぼ真下に位置することになるので、回路基板１０の表面に付着して流れ落ちた水は、確実に排水斜面５０，５２に到達することができる。
【００３８】
＜実施形態２＞
次に、本発明を具体化した実施形態２を図９ないし図１１を参照して説明する。本実施形態２は、フレーム６０の形状を上記実施形態１とは異なる構成としたものである。その他の構成については上記実施形態１と同じであるため、同じ構成については、同一符号を付し、構造、作用及び効果の説明は省略する。  
フレーム６０の支持部６１に形成された隔壁部４８は、バスバー４２の水平な屈曲部４５の長さ方向において屈曲部４５の裏面側の端部（図９及び図１０における右端部）と対応するように配置されている。また、隔壁部４８の上端縁４８ａは、屈曲部４５とほぼ平行、即ち水平をなしており、隔壁部４８の上端縁４８ａは、屈曲部４５が支持部６１の水平な上面６１ａに当接（載置）されている状態において、屈曲部４５の上面４５ａよりも高い位置にある。つまり、隔壁部４８の上縁部が屈曲部４５の上面４５ａよりも上方へ突出するようになっている。このように、隔壁部４８の上縁部が屈曲部４５の上面４５ａよりも上方へ突出しているので、隔壁部の上縁部が屈曲部の上面と同じ高さかそれよりも低い高さであるものに比べると、隣り合う屈曲部４５間の縁面距離が大きく、バスバー４２間の短絡を防止する機能の信頼性に優れている。
【００３９】
また、支持部６１には、その上面６１ａから第１排水斜面５０側の側面６１ｂ（つまり、凹部４９の内側面）の上端部に亘って斜めに（上面６１ａから背面側に向かって下り勾配となるように）切欠した形態の誘導斜面６３が形成されている。このような誘導斜面６３を形成したことにより、回路基板１０からバスバー４２の屈曲部４４５を介して支持部６１の上面６１ａに伝わった水は、誘導斜面６３を伝うことによって、第１排水斜面５０側の側面６１ｂへ誘い出されるので、確実に第１排水斜面５０に到達する。したがって、支持部６１に伝わった水を、確実にハウジング１１外へ排出することができるのである。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４１】
（１）本実施形態では、排水口５３は４つ設ける構成としたが、これに限られず、１つないし３つ、又は５つ以上であってもよい。
【００４２】
（２）バスバー４２の屈曲部４５が、例えば防水シール剤等で被覆されることにより絶縁されている場合には、隔壁部４８を省略できる。
【００４４】
（３）本実施形態においては、隔壁部４８の下端部を水切りリブ５４とする構成としたが、これに限られず、隔壁部４８と水切りリブ５４をと別部材とする構成としてもよい。
【００４５】
（４）上記実施形態では、隔壁部の上縁部が屈曲部の上面よりも上方へ突出するようにしたが、本発明によれば、隔壁部の上縁部が屈曲部の上面と同じ高さか、屈曲部の上面よりも低い高さであってもよい。
【図面の簡単な説明】
【００４６】
【図１】本実施形態に係る電気接続箱の斜視図
【図２】電気接続箱を示す分解斜視図
【図３】電気接続箱の正面図
【図４】電気接続箱から放熱板を取り外した状態を示す背面図
【図５】図３におけるＡ−Ａ線断面図
【図６】図３におけるＢ−Ｂ線断面図
【図７】フレームの裏面側の状態を示す斜視図
【図８】フレームの表面側の状態を示す斜視図
【図９】実施形態２の断面図
【図１０】フレームの断面図
【図１１】フレームの背面図
【符号の説明】
【００４７】
１０…回路基板
１１…ハウジング
１２Ｄ…下枠部（底壁）
４０…絶縁基板
４２…バスバー
４５…屈曲部
４７…支持部
４８…隔壁部
５０…第１排水斜面
５２…第２排水斜面
５３…排水口
５４…水切りリブ
６１…支持部
６３…誘導斜面
【図１】
0004585980.tif 000002
【図２】
0004585980.tif 000003
【図３】
0004585980.tif 000004
【図４】
0004585980.tif 000005
【図５】
0004585980.tif 000006
【図６】
0004585980.tif 000007
【図７】
0004585980.tif 000008
【図８】
0004585980.tif 000009
【図９】
0004585980.tif 000010
【図１０】
0004585980.tif 000011
【図１１】
0004585980.tif 000012